(57)【要約】【課題】培養神経細胞の成熟度を簡便に判定するための方法を確立すること。【解決手段】（Ａ）培養神経細胞を固定し、該固定した培養神経細胞に抗Ａｒｌ１３ｂ抗体及び／又は抗ＭＣＨＲ１抗体を接触させ、抗Ａｒｌ１３ｂ抗体及び／又は抗ＭＣＨＲ１抗体を細胞表面上の一次繊毛に結合させるステップ；（Ｂ）前記培養神経細胞の一次繊毛に結合した前記抗Ａｒｌ１３ｂ抗体及び／又は抗ＭＣＨＲ１抗体を検出して、一次繊毛を可視化するステップ；及び（Ｃ）可視化された前記一次繊毛の長さ及び／又は一次繊毛の発生率を測定することにより、前記培養神経細胞の成熟度を判定するステップを順次備えた方法により、培養神経細胞の成熟度を判定することができる。【選択図】図２
2020180967.tif 000002
【特許請求の範囲】
【請求項１】
以下のステップ（Ａ）〜（Ｃ）を順次備えたことを特徴とする培養神経細胞の成熟度を判定する方法。
（Ａ）培養神経細胞を固定し、該固定した培養神経細胞に抗Ａｒｌ１３ｂ抗体及び／又は抗ＭＣＨＲ１抗体を接触させ、抗Ａｒｌ１３ｂ抗体及び／又は抗ＭＣＨＲ１抗体を細胞表面上の一次繊毛に結合させるステップ；
（Ｂ）前記培養神経細胞の一次繊毛に結合した前記抗Ａｒｌ１３ｂ抗体及び／又は抗ＭＣＨＲ１抗体を検出して、一次繊毛を可視化するステップ；
（Ｃ）可視化された前記一次繊毛の長さ及び／又は一次繊毛の発生率を測定することにより、前記培養神経細胞の成熟度を判定するステップ；
【請求項２】
ステップ（Ａ）において、抗Ａｒｌ１３ｂ抗体及び抗ＭＣＨＲ１抗体を接触及び結合させることを特徴とする請求項１に記載の方法。
【請求項３】
一次繊毛が、機能的一次繊毛であることを特徴とする請求項１又は２に記載の方法。
【請求項４】
培養神経細胞が、ヒト由来であることを特徴とする請求項１〜３のいずれかに記載の方法。
【請求項５】
培養神経細胞が、人工多能性幹細胞由来であることを特徴とする請求項１〜４のいずれかに記載の方法。
【請求項６】
ステップ（Ａ）の培養神経細胞の固定が、室温でのメタノール固定であることを特徴とする請求項１〜５のいずれかに記載の方法。
【請求項７】
以下のステップ（Ａ）〜（Ｅ）を順次備えたことを特徴とする神経細胞の成熟に影響を与える物質のスクリーニング方法。
（Ａ）培養神経細胞を、被験物質で処理するステップ；
（Ｂ）前記被験物質で処理した培養神経細胞と、前記被験物質で処理していない培養神経細胞とを固定するステップ；
（Ｃ）固定した前記培養神経細胞に、抗Ａｒｌ１３ｂ抗体及び／又は抗ＭＣＨＲ１抗体を接触及び結合させるステップ；
（Ｄ）前記培養神経細胞に結合した前記抗Ａｒｌ１３ｂ抗体及び／又は抗ＭＣＨＲ１抗体を検出することにより、一次繊毛を可視化するステップ；
（Ｅ）前記一次繊毛の長さ及び／又は一次繊毛の発生率を、前記被験物質で処理した培養神経細胞と、前記被験物質で処理していない培養神経細胞との間で比較することにより、前記被験物質が神経細胞の成熟度に与える影響を評価するステップ；
【請求項８】
ステップ（Ｃ）において、抗Ａｒｌ１３ｂ抗体及び抗ＭＣＨＲ１抗体を接触させることを特徴とする請求項７に記載の方法。
【請求項９】
一次繊毛が、機能的一次繊毛であることを特徴とする請求項７又は８に記載の方法。
【請求項１０】
培養神経細胞が、ヒト由来であることを特徴とする請求項７〜９のいずれかに記載の方法。
【請求項１１】
培養神経細胞が、人工多能性幹細胞由来であることを特徴とする請求項７〜１０のいずれかに記載の方法。
【請求項１２】
ステップ（Ｂ）の培養神経細胞の固定が、室温でのメタノール固定であることを特徴とする請求項７〜１１のいずれかに記載の方法。
【発明の詳細な説明】
【技術分野】
【０００１】
本発明は、培養神経細胞の一次繊毛を可視化し、該一次繊毛の長さ及び／又は一次繊毛の発生率を測定することにより、培養神経細胞の成熟度を判定する方法や、一次繊毛の長さ及び／又は一次繊毛の発生率を指標とした、神経細胞の成熟に影響を与える物質のスクリーニング方法に関する。
【背景技術】
【０００２】
神経疾患は、脳、脊髄、末梢神経等に障害を引き起こす病気の総称であり、脳卒中、認知症、パーキンソン病、脊髄小脳変性症などの神経変性疾患、重症筋無力症、多発性硬化症等の免疫性神経疾患、ギランバレー症候群等の末梢神経疾患、筋ジストロフィー等の筋疾患など多岐にわたる。神経疾患のメカニズムは解明が難しく、治療法が確立されていないものも多い。近年では、神経変性疾患に加え、ある種の精神疾患においても、脳の神経回路網の形成・修復の異常が疾患に関与していることが指摘されている（特許文献１等）。
【０００３】
げっ歯類初代培養細胞は、疾患メカニズムを明らかにし、遺伝子機能についての知見を得るために不可欠である。また、医薬スクリーニングにおいてもげっ歯類初代培養細胞が用いられることがあるが、げっ歯類初代培養細胞を用いたスクリーニングで得られた化合物を、そのままヒト用の医薬品として用いることは不可能である。特に、ヒトの神経変性疾患の研究においては、ヒトニューロンはげっ歯類と比較して高次構造を有することから、ヒト由来の培養神経細胞の開発や、医薬品評価系の確立が待たれている（非特許文献１）。
【０００４】
ヒトｉＰＳ細胞やＥＳ細胞由来の培養神経細胞は、医薬品評価系において、早期の副作用検出等のために期待されている技術である。培養神経細胞の初期分化に与える医薬品の影響は、遺伝子発現をマーカーとして評価することができる。一方で、成熟細胞に与える医薬品の影響は、評価方法としてはシナプス数の変化やドレブリン発現が考えられるものの、ヒト培養神経細胞は成熟速度が遅く、成熟細胞を得るまでに時間がかかることから成熟神経細胞の安定供給ができず、成熟細胞を用いた医薬品評価系の構築は未だなされていないのが現状である。また、成熟神経細胞への成熟途中の段階における成熟度を評価する指標としては、軸索の長さを挙げることができるが、軸索の長さは計測が困難である。
【０００５】
一次繊毛は、成長が止まった脊椎動物細胞のほぼすべての表面上に１本ずつ存在する、単独の非運動性細胞小器官である（非特許文献２等）。一次繊毛は、母中心小体から伸長する微小管の骨格（軸糸）を有する構造体である。特定のシグナリング分子のみが一次繊毛の膜に入ることができることから、シナプスに加えてより高レベルのニューロンのシグナル伝達ノードであると考えられている。一次繊毛の構造や機能の欠陥は、肥満、多発性嚢胞腎疾患、網膜変性、神経学的欠陥を含む様々な疾患の病因を含む繊毛症に関連している。培養神経細胞においても、一次繊毛機能の欠損が、樹状突起伸長及びシナプス結合に悪影響を及ぼすことが知られている。さらに、多様なシグナルに反応し、多数の細胞プロセスに影響を及ぼすＧタンパク質共役受容体（ＧＰＣＲ）が、一次繊毛機能に必須であると考えられている（非特許文献３）。げっ歯類の脳において、ソマトスタチンレセプターサブタイプ３（ＳＳＴＲ３）、セロトニンレセプターサブタイプ６（５−ＨＴ６）、Ｄ１タイプドーパミン作動性レセプター及びメラニン凝集ホルモンレセプター１（ＭＣＨＲ１）が繊毛特異的に発現していることがわかっており、一次繊毛は、神経精神医学的疾患であっても、治療介入の有望なポイントと考えられている（非特許文献４）。さらに、本発明者らは、うつに強いモデルマウスを作製し、その海馬で一次繊毛が野生型よりも伸長していることを検出した（非特許文献５）。これは、情動と一次繊毛長の関係を示した初の報告である。
【０００６】
一次繊毛は、１８日胚から新生子に至るいずれかの発生段階に由来する培養海馬、扁桃体、側坐核及び背側線条体ニューロンにおいて、培養数日以内に観察される（非特許文献３等）。それにもかかわらず、我々が知る限り、ヒトｉＰＳ細胞由来ニューロンにおいて、一次繊毛の存在は確認されていない。
【先行技術文献】
【特許文献】
【０００７】
【特許文献１】特開２００８−１３７９５４号公報
【非特許文献】
【０００８】
【非特許文献１】日薬理誌（Folia Pharmacol.Jpn.）149, 104-109 (2017)
【非特許文献２】化学と生物, 51(8), 524-533 (2013)
【非特許文献３】医学のあゆみ−GPCR研究の最前線2016，256，608-615(2016)
【非特許文献４】PLoS One 7 (2012) e46647
【非特許文献５】Neuroscience 383 (2018) 160-169
【発明の概要】
【発明が解決しようとする課題】
【０００９】
上述したとおり、ヒト培養神経細胞を用いた医薬品の早期評価系は、成熟細胞の安定供給が難しいことから未だ構築されていない。また、成熟神経細胞への成熟途中の段階における成熟度の簡便な判定方法も存在しない。本発明は、以上の事情に鑑みなされたものであり、培養神経細胞の成熟度を簡便に判定するための方法を確立すること、及び、培養神経細胞の成熟度に与える医薬品の影響を評価することにより、医薬品の早期評価系を構築することを目的とするものである。
【課題を解決するための手段】
【００１０】
本発明者らは、一次繊毛を指標として神経細胞の成熟度を判定することができるのではないかと考えた。従来、ヒトｉＰＳ細胞由来ニューロンに由来する一次繊毛の存在は確認されていなかったが、本発明者らは、培養神経細胞の培養方法、固定方法、染色方法を鋭意検討した結果、室温で１０分間メタノールにより固定した培養神経細胞に、抗Ａｒｌ１３ｂ抗体及び／又は抗ＭＣＨＲ１抗体を反応させることで、一次繊毛を可視化できること、並びに、ｉＰＳ細胞に由来する成熟途中の培養神経細胞に存在する一次繊毛が培養につれて伸長し、且つ、ＬｉＣｌやＭＣＨといった情動に影響を与える因子により短縮、伸長することを、ヒトｉＰＳニューロンで初めて発見し、一次繊毛の長さや発生率により、培養神経細胞の成熟度を判定できること、及び、神経細胞の成熟に影響を与える物質のスクリーニングを行えることを見いだした。また、本発明者らは、抗Ａｒｌ１３ｂ抗体により染色される一次繊毛のうち一部のみが、抗ＭＣＨＲ１抗体によっても染色されることを見いだした。後述するとおり、Ａｒｌ１３ｂは繊毛の発生に必要とされるＧタンパク質である。また、ＭＣＨＲ１は繊毛特異的に発現するレセプターであり、その機能に必須であると考えられる。したがって、抗Ａｒｌ１３ｂ抗体では全ての一次繊毛を可視化されるのに対し、抗ＭＣＨＲ１抗体により可視化された一次繊毛は、成熟した機能的一次繊毛であることが推察された。さらに、発明者らは、従来一次繊毛の可視化に用いられていた抗アデニル酸シクラーゼ３抗体（ＡＣ３）は一次繊毛の根元が強く染まるものが多いのに対し、ＭＣＨＲ１はどの繊毛でもその全長に渡って局在しているため、抗ＭＣＨＲ１抗体で検出すると、一次繊毛の全体像がとらえやすいという利点があることを見いだした。本発明は、これらの知見により完成したものである。
【００１１】
すなわち、本発明は以下の事項により特定されるとおりのものである。
（１）以下のステップ（Ａ）〜（Ｃ）を順次備えたことを特徴とする培養神経細胞の成熟度を判定する方法。
（Ａ）培養神経細胞を固定し、該固定した培養神経細胞に抗Ａｒｌ１３ｂ抗体及び／又は抗ＭＣＨＲ１抗体を接触させ、抗Ａｒｌ１３ｂ抗体及び／又は抗ＭＣＨＲ１抗体を細胞表面上の一次繊毛に結合させるステップ；
（Ｂ）前記培養神経細胞の一次繊毛に結合した前記抗Ａｒｌ１３ｂ抗体及び／又は抗ＭＣＨＲ１抗体を検出して、一次繊毛を可視化するステップ；
（Ｃ）可視化された前記一次繊毛の長さ及び／又は一次繊毛の発生率を測定することにより、前記培養神経細胞の成熟度を判定するステップ；
（２）ステップ（Ａ）において、抗Ａｒｌ１３ｂ抗体及び抗ＭＣＨＲ１抗体を接触及び結合させることを特徴とする上記（１）に記載の方法。
（３）一次繊毛が、機能的一次繊毛であることを特徴とする上記（１）又は（２）に記載の方法。
（４）培養神経細胞が、ヒト由来であることを特徴とする上記（１）〜（３）のいずれかに記載の方法。
（５）培養神経細胞が、人工多能性幹細胞由来であることを特徴とする上記（１）〜（４）のいずれかに記載の方法。
（６）ステップ（Ａ）の培養神経細胞の固定が、室温でのメタノール固定であることを特徴とする上記（１）〜（５）のいずれかに記載の方法。
（７）以下のステップ（Ａ）〜（Ｅ）を順次備えたことを特徴とする神経細胞の成熟に影響を与える物質のスクリーニング方法。
（Ａ）培養神経細胞を、被験物質で処理するステップ；
（Ｂ）前記被験物質で処理した培養神経細胞と、前記被験物質で処理していない培養神経細胞とを固定するステップ；
（Ｃ）固定した前記培養神経細胞に、抗Ａｒｌ１３ｂ抗体及び／又は抗ＭＣＨＲ１抗体を接触及び結合させるステップ；
（Ｄ）前記培養神経細胞に結合した前記抗Ａｒｌ１３ｂ抗体及び／又は抗ＭＣＨＲ１抗体を検出することにより、一次繊毛を可視化するステップ；
（Ｅ）前記一次繊毛の長さ及び／又は一次繊毛の発生率を、前記被験物質で処理した培養神経細胞と、前記被験物質で処理していない培養神経細胞との間で比較することにより、前記被験物質が神経細胞の成熟度に与える影響を評価するステップ；
（８）ステップ（Ｃ）において、抗Ａｒｌ１３ｂ抗体及び抗ＭＣＨＲ１抗体を接触及び結合させることを特徴とする上記（７）に記載の方法。
（９）一次繊毛が、機能的一次繊毛であることを特徴とする上記（７）又は（８）に記載の方法。
（１０）培養神経細胞が、ヒト由来であることを特徴とする上記（７）〜（９）のいずれかに記載の方法。
（１１）培養神経細胞が、人工多能性幹細胞由来であることを特徴とする上記（７）〜（１０）のいずれかに記載の方法。
（１２）ステップ（Ｂ）の培養神経細胞の固定が、室温でのメタノール固定であることを特徴とする上記（７）〜（１１）のいずれかに記載の方法。
【発明の効果】
【００１２】
本発明によれば、簡便な方法により、培養神経細胞の成熟度の判定や、神経細胞の成熟に影響を与える物質のスクリーニングを行うことができる。従来は、安定した成熟培養神経細胞の供給が困難であったことにより、培養神経細胞を用いた薬剤のスクリーニングが困難であったが、本発明によれば、培養神経細胞の成熟度という新たな指標により薬剤のスクリーニングを行うことができる。
【図面の簡単な説明】
【００１３】
【図１】ラット海馬から単離され凍結された凍結初代神経細胞をパラホルムデヒド（ＰＦＡ）で固定し、抗アデニル酸シクラーゼ３抗体（Ａ）、抗ＭＣＨＲ１抗体（Ｂ）を用いて一次繊毛を可視化した結果を示す図である。（Ｃ）は、（Ａ）及び（Ｂ）のマージ画像である。（Ｄ）は、（Ｃ）と、中心体の染色に用いられる抗ＦＧＦＲ１ＯＰ（ＦＯＰ）抗体を用いた染色像とのマージ画像である。
【図２】実施例２の、ｉＰＳ細胞に由来する、グルタミン酸作動性ヒト皮質ニューロン（iCellGlutaNeurons）を、ウサギ抗ヒトＡｒｌ１３Ｂ（Ａｒｌ１３Ｂ）及び神経細胞の染色に用いられるマウス抗ラットＭＡＰ２（ＭＡＰ２）で染色し、ＢＺ−９０００蛍光顕微鏡で撮像した結果（Ａ）、培養１１日目のiCell GlutaNeuronsを、Ａｒｌ１３ｂ、及び中心体の染色に用いられるマウス抗ヒトＦＧＦＲ１ＯＰ（ＦＧＦＲ１ＯＰ）を用いて二重染色した結果（Ｂ）、及び培養日数毎の一次繊毛発生率（Ｃ）を示す図である。
【図３】実施例２の、Ａｒｌ１３Ｂにより染色された一次繊毛長を経時的に測定した結果を示す図である。（Ａ）培養日数毎の、一次繊毛長の平均値を示す図である。（Ｂ）培養日数毎の、一次繊毛長の分布を示す図である。
【図４】実施例２の、ＬｉＣｌ存在下で１１日間培養したiCell GlutaNeuronsを、Ａｒｌ１３Ｂ及びＭＡＰ２で染色し、ＢＺ−９０００蛍光顕微鏡で撮像した結果（Ａ）、及びＬｉＣｌ存在下で１１日間培養したiCell GlutaNeuronsの一次繊毛長を測定した結果（Ｂ）を示す図である。（Ｂ）において、左は一次繊毛の平均長、右は一次繊毛の長さ分布を示す。
【図５】実施例２の、ＭＣＨ存在下で１６日間培養したiCell GlutaNeuronsを、Ａｒｌ１３Ｂ及びヤギ抗ヒトＭＣＨＲ１（ＭＣＨＲ１）で染色し、ＢＺ−９０００蛍光顕微鏡で撮像した結果（Ａ）、及びＭＣＨ存在下で１６日間培養したiCell GlutaNeuronsの一次繊毛長を測定した結果（Ｂ）を示す図である。（Ｂ）において、左は一次繊毛の平均長、右は一次繊毛の長さ分布を示す。
【図６】実施例３の、ＳＫＹ  ｎｅｕｒｏｎにおけるＭＣＨＲ１陽性一次繊毛長を測定した結果（Ａ）及び全細胞（ＤＡＰＩ−核のマーカーの陽性細胞）中、ＭＣＨＲ１陽性一次繊毛を持つ細胞の存在比率を測定した結果（Ｂ）を示す図である。
【図７】実施例３の、ＳＫＹ  ｎｅｕｒｏｎ  ＭＣＨＲ１陽性一次繊毛長に対するＭＣＨ添加の影響を示す図である。
【図８】実施例３の、ＳＫＹ  ｎｅｕｒｏｎ  ＭＣＨＲ１陽性一次繊毛長のＭＣＨ応答性を評価した結果を示す図である。（Ａ）は時間依存性、（Ｂ）は濃度依存性を示す。
【発明を実施するための形態】
【００１４】
本発明において、培養神経細胞の成熟度を判定する方法とは、（Ａ）培養神経細胞を固定し、該固定した培養神経細胞に抗Ａｒｌ１３ｂ抗体及び／又は抗ＭＣＨＲ１抗体を接触させ、抗Ａｒｌ１３ｂ抗体及び／又は抗ＭＣＨＲ１抗体を細胞表面上の一次繊毛に結合させるステップ；（Ｂ）前記培養神経細胞の一次繊毛に結合した前記抗Ａｒｌ１３ｂ抗体及び／又は抗ＭＣＨＲ１抗体を検出して、一次繊毛を可視化するステップ；及び（Ｃ）可視化された前記一次繊毛の長さ及び／又は一次繊毛の発生率を測定することにより、前記培養神経細胞の成熟度を判定するステップを順次備えた方法（以下、「本発明の方法１」ということがある）であり、神経細胞の成熟に影響を与える物質のスクリーニング方法とは、（Ａ）培養神経細胞を、被験物質で処理するステップ；（Ｂ）前記被験物質で処理した培養神経細胞と、前記被験物質で処理していない培養神経細胞とを固定するステップ；（Ｃ）固定した前記培養神経細胞に、抗Ａｒｌ１３ｂ抗体及び／又は抗ＭＣＨＲ１抗体を接触・結合させるステップ；（Ｄ）前記培養神経細胞に結合した前記抗Ａｒｌ１３ｂ抗体及び／又は抗ＭＣＨＲ１抗体を検出することにより、一次繊毛を可視化するステップ；及び（Ｅ）前記一次繊毛の長さ及び／又は一次繊毛の発生率を、前記被験物質で処理した培養神経細胞と、前記被験物質で処理していない培養神経細胞との間で比較することにより、前記被験物質が神経細胞の成熟度に与える影響を評価するステップを順次備えた方法（以下、「本発明の方法２」ということがある）である。
【００１５】
本発明において、培養神経細胞とは、胚性幹細胞や人工多能性幹細胞等の多能性幹細胞に由来する神経前駆細胞を、神経細胞培養用培地にて培養して成熟させた培養神経細胞を意味し、中でも人工多能性幹細胞（ｉＰＳ細胞）に由来する培養神経細胞を好適に例示することができる。また、培養神経細胞の起源は、ヒトの治療薬のスクリーニングに用いることができるものであることが好ましく、例えば哺乳類由来、より好ましくは霊長類由来、さらに好ましくはヒト由来を挙げることができる。本発明の培養神経細胞は、ヒトｉＰＳ細胞由来の培養神経細胞がより好ましく、ヒトｉＰＳ細胞由来のグルタミン酸作動性ヒト皮質ニューロンがさらに好ましい。また、本発明における神経細胞培養用培地は、培養神経細胞の培養に用いられる公知のいかなる培地であってもよく、血清が添加されていても、添加されていなくてもよいが、中でもBrainPhys NeuronalMedium（STEMCELL-Technologies社製）、神経細胞用培地（富士フイルム和光純薬株式会社製）、Neuron Growth Medium（サイヤジェン株式会社製）等の市販の神経細胞培養用無血清培地や、血清を添加したダルベッコ改変イーグル培地（ＤＭＥＭ）を好適に例示することができる。
【００１６】
本発明は、培養神経細胞に抗Ａｒｌ１３ｂ抗体及び／又は抗ＭＣＨＲ１抗体を接触させることにより、一次繊毛を可視化することを特徴とする。ここで、抗Ａｒｌ１３ｂ抗体とは、Ｒａｓスーパーファミリーの低分子量繊毛Ｇタンパク質であるＡｒｌ１３ｂに対する抗体である。Ａｒｌ１３ｂは、繊毛に局在し、ソニックヘッジホッグシグナリングと同様に繊毛の発生に必要とされるため、繊毛の標識に使用できる抗体ターゲットである。また、ＭＣＨＲ１は、一次繊毛上に局在することが知られている摂食受容体である。しかしながら、発明者らの知る限りでは、これらの抗体がヒト由来培養神経細胞の一次繊毛の検出に使用されたとの報告はなされていない。その理由として、神経細胞一次繊毛の検出には、一般的に、神経細胞一次繊毛に特異的に局在するアデニル酸シクラーゼ３に対する抗体である、抗アデニル酸シクラーゼ３抗体（ＡＣ３）が使用されていたことが考えられるが、本発明者らのヒトｉＰＳ細胞由来のグルタミン酸作動性ヒト皮質ニューロンを用いた検討によれば、抗アデニル酸シクラーゼ３抗体では一次繊毛を検出することはできなかった。
【００１７】
本発明において、前記培養神経細胞に結合した前記抗Ａｒｌ１３ｂ抗体及び／又は抗ＭＣＨＲ１抗体は、いかなる公知の方法により検出してもよいが、簡便性、及び抗Ａｒｌ１３ｂ抗体及び抗ＭＣＨＲ１抗体で二重染色した場合の識別性の観点から、蛍光標識を用いることが好ましい。ここで、蛍光標識としては、ＦＩＴＣ、Ｃｙ３、Ｃｙ５、Rhodamine、Alexa fluor（登録商標、インビトロジェン社製）等の蛍光物質を挙げることができる。抗Ａｒｌ１３ｂ抗体や抗ＭＣＨＲ１抗体は、直接標識してもよく、これらに対する二次抗体を用いて検出してもよい。本発明で用いる抗体は、モノクローナル抗体、ポリクローナル抗体のいずれであってもよく、市販のものを使用できる他、常法により作製することもできる。可視化された一次繊毛は、顕微鏡観察により長さを計測及び／又は発生率を算出してもよい。
【００１８】
本発明における培養神経細胞の固定条件としては、培養神経細胞の一次繊毛や機能的一次繊毛の構造が安定化され、抗Ａｒｌ１３ｂ抗体及び／又は抗ＭＣＨＲ１抗体による可視化が効率的に行える条件であればいかなる公知の方法を用いてもよく、固定化試薬としては、例えばメタノール、アセトン、ホルムアルデヒド、パラホルムアルデヒド（ＰＦＡ）、エタノール、グルタルアルデヒド、スベルイミノ酸ジメチルを挙げることができ、固定化試薬は、冷凍庫（−２０±２℃）又は冷蔵庫（４±２℃）で冷却したものや、室温のものを使用することができるが、ヒトｉＰＳ細胞由来の培養神経細胞を固定する場合の好適な固定条件としては、室温の１００％メタノールに１〜２０分間、好ましくは５〜１５分間、より好ましくは８〜１２分間（約１０分間）浸漬固定する条件を例示することができる。また、HistoChoice Tissue Fixative（Sigma-Aldrich社製）等の市販の固定液に、必要に応じてエタノール及び／又は２−プロパノールを添加して用いてもよい。
【００１９】
本発明の培養神経細胞の成熟度を判定する方法（本発明の方法１）の一態様において、培養神経細胞の成熟度は、抗Ａｒｌ１３ｂ抗体及び／又は抗ＭＣＨＲ１抗体により可視化された一次繊毛の長さを測定することにより判定される。例えば、培養神経細胞の成熟度は、成熟度を０（培養０日の培養神経細胞）〜１（成熟培養神経細胞）で判定する場合、以下の数式（１）で算出してもよい。ここで、「判定対象培養神経細胞の一次繊毛長」とは、判定の対象となる培養神経細胞（集団）の一次繊毛の平均長をいい、「成熟培養神経細胞の一次繊毛長」とは、成熟培養神経細胞（集団）の一次繊毛の平均長をいう。なお、本発明において、「培養０日の培養神経細胞」とは、神経前駆細胞を神経細胞培養用培地に移植し、培養を開始した直後の培養神経細胞をいい、「成熟培養神経細胞」とは、神経細胞培養用培地での培養日数が例えば１０日以上、１１日以上、１２日以上、１３日以上、１４日以上、１５日以上、１６日以上、１７日以上、１８日以上、１９日以上、又は２０日以上であって、分岐した神経突起のある典型的な神経細胞の形態を有する培養神経細胞をいう。なお、神経細胞培養用培地での培養日数は、好ましくは４０日以下である。
【００２０】
【数１】
2020180967.tif 000003
【００２１】
本発明の方法１の一態様において、培養神経細胞の成熟度は、抗Ａｒｌ１３ｂ抗体及び／又は抗ＭＣＨＲ１抗体により可視化された一次繊毛の発生率を測定することにより判定される。ここで、培養神経細胞の一次繊毛の発生とは、抗Ａｒｌ１３ｂ抗体及び／又は抗ＭＣＨＲ１抗体により可視化された一次繊毛の長さが１．５μｍ以上となったことを意味し、培養神経細胞の一次繊毛の発生率とは、全培養神経細胞（総数）の内の、一次繊毛が発生した培養神経細胞の割合をいう。例えば、培養神経細胞の成熟度は、成熟度を０（培養０日の培養神経細胞）〜１（成熟培養神経細胞）で判定する場合、以下の数式（２）で算出してもよい。
【００２２】
【数２】
2020180967.tif 000004
【００２３】
本発明者らの検討により、培養神経細胞の一次繊毛のうち、抗Ａｒｌ１３ｂ抗体では可視化されるが、抗ＭＣＨＲ１抗体では可視化されないものがあることが明らかになった。ＭＣＨＲ１が一次繊毛の機能に必須であると考えられること、及び、抗Ａｒｌ１３ｂ抗体及び抗ＭＣＨＲ１抗体の両方で染色された一次繊毛は、培養日数が増えるにつれ上昇した（下記表２参照）。ＭＣＨＲ１は摂食・情動・睡眠に深く関わることが知られている神経ペプチドＭＣＨを受容する膜受容体であることから、ＭＣＨＲ１が存在するということは確かに生理的に意味のあるシグナルを受容するシステムが存在すると示唆される。つまり、ＭＣＨＲ１を持つということは、繊毛の神経としてのアンテナ機能を持つまで成熟した一次繊毛であると考えられるため、抗Ａｒｌ１３ｂ抗体及び抗ＭＣＨＲ１抗体の両方で染色された一次繊毛は、機能的に成熟した一次繊毛であると推察された。そこで、本発明において「機能的一次繊毛」とは、抗ＭＣＨＲ１抗体、好ましくは抗Ａｒｌ１３ｂ抗体及び抗ＭＣＨＲ１抗体の両方で染色される一次繊毛のことをいう。
【００２４】
本発明の方法１の一態様において、培養神経細胞の成熟度は、抗ＭＣＨＲ１抗体、好ましくは抗Ａｒｌ１３ｂ抗体及び抗ＭＣＨＲ１抗体により可視化された機能的一次繊毛の長さを測定することにより判定される。例えば、培養神経細胞の成熟度は、成熟度を０（培養０日の培養神経細胞）〜１（成熟培養神経細胞）で判定する場合、以下の数式（３）で算出してもよい。ここで、「判定対象培養神経細胞の機能的一次繊毛長」とは、判定の対象となる培養神経細胞（集団）の機能的一次繊毛の平均長をいい、「成熟培養神経細胞の機能的一次繊毛長」とは、成熟培養神経細胞（集団）の機能的一次繊毛の平均長をいう。
【００２５】
【数３】
2020180967.tif 000005
【００２６】
本発明の方法１の一態様において、培養神経細胞の成熟度は、抗ＭＣＨＲ１抗体、好ましくは抗Ａｒｌ１３ｂ抗体及び抗ＭＣＨＲ１抗体により可視化された機能的一次繊毛の発生率を測定することにより判定される。ここで、培養神経細胞の機能的一次繊毛の発生とは、抗ＭＣＨＲ１抗体、好ましくは抗Ａｒｌ１３ｂ抗体及び抗ＭＣＨＲ１抗体により可視化された機能的一次繊毛の長さが１．５μｍ以上となったことを意味し、培養神経細胞の機能的一次繊毛の発生率とは、全培養神経細胞（総数）の内の、機能的一次繊毛が発生した培養神経細胞の割合をいう。機能的一次繊毛の発生率に基づく培養神経細胞の成熟度は、成熟度を０（培養０日の培養神経細胞）〜１（成熟培養神経細胞）で判定する場合、以下の数式（４）で算出してもよい。
【００２７】
【数４】
2020180967.tif 000006
【００２８】
本発明の方法１において、培養神経細胞の成熟度は、一次繊毛の長さ、一次繊毛の発生率、機能的一次繊毛の長さ、及び機能的一次繊毛の発生率のうちのいずれか１つで判定しても、２つ以上の組み合わせで判定してもよい。
【００２９】
本発明の神経細胞の成熟に影響を与える物質のスクリーニング方法（本発明の方法２）は、一次繊毛の長さ及び／又は一次繊毛の発生率、並びに／或いは、機能的一次繊毛の長さ及び／又は機能的一次繊毛の発生率が培養神経細胞の成熟度を判定する指標になるとの知見に基づくものである。本発明の一態様において、一次繊毛の長さを、被験物質が神経細胞の成熟度に与える影響を評価する指標として用いる場合、被験物質の存在下で培養した培養神経細胞の一次繊毛の長さが、被験物質の非存在下で培養した培養神経細胞の一次繊毛の長さを基準として５％以上、１０％以上、１５％以上、２０％以上、２５％以上、３０％以上、３５％以上、４０％以上、４５％以上、又は５０％以上長い場合に培養神経細胞の成熟促進効果を有すると評価することができ、被験物質の存在下で培養した培養神経細胞の一次繊毛の長さが、被験物質の非存在下で培養した培養神経細胞の一次繊毛の長さを基準として５％以上、１０％以上、１５％以上、２０％以上、２５％以上、３０％以上、３５％以上、４０％以上、４５％以上、又は５０％以上短い場合に培養神経細胞の成熟抑制効果を有すると評価することができる。
【００３０】
本発明の方法２の一態様において、一次繊毛の発生率を、被験物質が神経細胞の成熟度に与える影響を評価する指標として用いる場合、被験物質の存在下で培養した培養神経細胞の一次繊毛の発生率が、被験物質の非存在下で培養した培養神経細胞の一次繊毛の発生率を基準として５％以上、１０％以上、１５％以上、２０％以上、２５％以上、３０％以上、３５％以上、４０％以上、４５％以上、又は５０％以上高い場合に培養神経細胞の成熟促進効果を有すると評価することができ、被験物質の存在下で培養した培養神経細胞の一次繊毛の発生率が、被験物質の非存在下で培養した培養神経細胞の一次繊毛の発生率を基準として５％以上、１０％以上、１５％以上、２０％以上、２５％以上、３０％以上、３５％以上、４０％以上、４５％以上、又は５０％以上低い場合に培養神経細胞の成熟抑制効果を有すると評価することができる。
【００３１】
本発明の方法２の一態様において、機能的一次繊毛の長さを、被験物質が神経細胞の成熟度に与える影響を評価する指標として用いる場合、被験物質の存在下で培養した培養神経細胞の機能的一次繊毛の長さが、被験物質の非存在下で培養した培養神経細胞の機能的一次繊毛の長さを基準として５％以上、１０％以上、１５％以上、２０％以上、２５％以上、３０％以上、３５％以上、４０％以上、４５％以上、又は５０％以上長い場合に培養神経細胞の成熟促進効果を有すると評価することができ、被験物質の存在下で培養した培養神経細胞の機能的一次繊毛の長さが、被験物質の非存在下で培養した培養神経細胞の機能的一次繊毛の長さを基準として５％以上、１０％以上、１５％以上、２０％以上、２５％以上、３０％以上、３５％以上、４０％以上、４５％以上、又は５０％以上短い場合に培養神経細胞の成熟抑制効果を有すると評価することができる。
【００３２】
本発明の方法２の一態様において、機能的一次繊毛の発生率を、被験物質が神経細胞の成熟度に与える影響を評価する指標として用いる場合、被験物質の存在下で培養した培養神経細胞の機能的一次繊毛の発生率が、被験物質の非存在下で培養した培養神経細胞の機能的一次繊毛の発生率を基準として５％以上、１０％以上、１５％以上、２０％以上、２５％以上、３０％以上、３５％以上、４０％以上、４５％以上、又は５０％以上高い場合に培養神経細胞の成熟促進効果を有すると評価することができ、被験物質の存在下で培養した培養神経細胞の機能的一次繊毛の発生率が、被験物質の非存在下で培養した培養神経細胞の機能的一次繊毛の発生率を基準として５％以上、１０％以上、１５％以上、２０％以上、２５％以上、３０％以上、３５％以上、４０％以上、４５％以上、又は５０％以上低い場合に培養神経細胞の成熟抑制効果を有すると評価することができる。
【００３３】
本発明の方法２の一態様において、上記数式（１）〜（４）のいずれかにより算出した成熟度を、被験物質が神経細胞の成熟度に与える影響を評価する指標として用いる場合、被験物質の非存在下で培養した培養神経細胞の成熟度を基準として５％以上、１０％以上、１５％以上、２０％以上、２５％以上、３０％以上、３５％以上、４０％以上、４５％以上、又は５０％以上高い場合に培養神経細胞の成熟促進効果を有すると評価することができ、被験物質の存在下で培養した培養神経細胞の成熟度が、被験物質の非存在下で培養した培養神経細胞の成熟度を基準として５％以上、１０％以上、１５％以上、２０％以上、２５％以上、３０％以上、３５％以上、４０％以上、４５％以上、又は５０％以上低い場合に培養神経細胞の成熟抑制効果を有すると評価することができる。
【００３４】
本発明の方法２において、培養神経細胞を、被験物質で処理するステップとしては、培養神経細胞を被験物質の存在下で培養しても、被験物質非存在下で培養した培養神経細胞の培地を、被験物質を含む緩衝液に交換してもよく、被験物質としては、神経疾患の治療薬の候補化合物を好適に例示することができる。
【００３５】
以下、実施例により本発明をより具体的に説明するが、本発明の技術的範囲はこれらの例示に限定されるものではない。
【実施例１】
【００３６】
１．細胞固定条件の検討
本発明者らは、予備実験として、ラット海馬から単離され凍結された凍結初代神経細胞（ＳＫＹ  ｎｅｕｒｏｎ、ＡＭＥＤ再生医療実用化研究事業・群馬大学白尾より提供）を用い、一般的な細胞固定方法であるパラホルムデヒド（ＰＦＡ）固定後の抗アデニル酸シクラーゼ３抗体又は抗ＭＣＨＲ１抗体での一次繊毛の可視化では、一次繊毛の構造が崩れ（長さが短縮、折れ曲がる）、正確な長さを測定できないことを確認している（図１）。そこで、細胞固定条件を検討するため、凍結初代神経細胞を、以下の表１に記載の固定化条件で処理した後に、マウス抗ＭＣＨＲ１抗体と接触させ、染色がなされたかどうかを確認した。
【００３７】
結果を表１に示す。
【００３８】
【表１】
2020180967.tif 000007
【００３９】
一般的な固定法である条件（１）〜（５）では、ＭＣＨＲ１が染まらなかったり、形が崩れたり、核内に非特異的な染色が起こったのに対し、条件（６）では繊毛膜に局在するＭＣＨＲ１が特異的に染色された。また、ＳＫＹ  ｎｅｕｒｏｎの繊毛は、ウサギ抗ヒトＡｒｌ１３Ｂ抗体によっても染色されることを確認した（図示せず）。これらの結果に鑑み、実施例２の固定条件は条件（６）で行った。
【実施例２】
【００４０】
２．iCell GlutaNeuronsを用いた機能的一次繊毛の可視化条件の検討
ｉＰＳ細胞に由来する、グルタミン酸作動性ヒト皮質ニューロン（iCell GlutaNeurons）を用い、機能的一次繊毛の可視化条件の検討を行った。
【００４１】
２−１  iCell GlutaNeuronsの培養
iCell GlutaNeurons（CellularDynamicsInternational社製）を、製造者のプロトコルに基づいて解凍した。計３５×１０４個の細胞を、１Ｍ硝酸水溶液で洗浄し、０．０１％ポリ−Ｌ−リジンでコーティングした１２ｍｍの円形カバーガラスに播種し、２４ウェル培養プレート中に設置した。細胞培養は、神経生理学用無血清培地BrainPhys（STEMCELL-Technologies社製）に、２％iCell NeuralSupplement B (STEMCELL-Technologies社製)、２％ SM1 NeuronalSupplement(STEMCELL-Technologies社製)、１％ iCell Nervous System Supplement (STEMCELL-Technologies社製)、１ｍＭ laminin、ペニシリンＧ−ストレ
プトマイシンを添加した培地（完全BrainPhys培地）中で行った。１日培養後、５０ｎｇ
／ｍＬの脳由来神経栄養因子を添加した完全BrainPhys培地（ｉＧｌｕ−ＧＭ）に培地交
換した。培地を１日おきに交換しながら、３７℃、５％ＣＯ２環境下で１〜２０日間培養した。
【００４２】
２−２  ＬｉＣｌ処理
２−１で１１日間培養したiCell GlutaNeuronsを、２０ｍＭ  ＬｉＣｌ（Sigma Aldrich社製）を含んだｉＧｌｕ−ＧＭに培地交換し、３７℃、５％ＣＯ２環境下で６〜８時間
培養した。
【００４３】
２−３  ＭＣＨ処理
２−１で１６〜１９日間培養したiCell GlutaNeuronsを、１ｎＭ  ＭＣＨ（株式会社ペプチド研究所製）を含んだｉＧｌｕ−ＧＭに培地交換し、３７℃、５％ＣＯ２環境下で３〜５時間培養した。
【００４４】
２−４  抗体染色
２−１で培養したiCell GlutaNeurons、及び２−２、２−３でＬｉＣｌ又はＭＣＨで処理したiCell GlutaNeuronsを、室温の１００％メタノールを用いて１０分間固定した後、ダルベッコＰＢＳ（Ｄ−ＰＢＳ）で洗浄し、５％ヤギ血清及び０．１％ＴｒｉｔｏｎＸ−１００を添加したＤ−ＰＢＳ（ＰＢＳＧＴ）又は５％ロバ血清及び０．１％ＴｒｉｔｏｎＸ−１００を添加したＤ−ＰＢＳ（ＰＢＳＤＴ）を用いて室温で４５分間ブロッキング処理を行った。細胞をさらにＤ−ＰＢＳで洗浄した後、ＰＢＳＧＴ又はＰＢＳＤＴで希釈した一次抗体に置換し、４℃で一晩インキュベートした。用いた一次抗体及び希釈倍率は以下のとおりである。
１）ウサギ抗ラットアデニル酸シクラーゼIII（RPCA-ACIII;Encor Biotechnology社製; ５０００倍希釈）
２）ウサギ抗ヒトＡｒｌ１３Ｂ（17711-1-AP;Proteintech社製; ７００倍希釈）
３）マウス抗ラットＭＡＰ２（M4403; Sigma社製; １０００倍希釈）
４）マウス抗ヒトＦＧＦＲ１ＯＰ(B-1; sc-374340; Santa CruzBiotechnology社製; ２００倍希釈）
５）ヤギ抗ヒトＭＣＨＲ１（C-17, sc-5534; Santa CruzBiotechnology社製; ３００倍希釈）
【００４５】
その後、細胞をＤ−ＰＢＳで洗浄し、ＰＢＳＧＴ又はＰＢＳＤＴで希釈した適切な蛍光標識二次抗体とともにインキュベートした。用いた蛍光標識二次抗体及び希釈倍率は以下のとおりである。
１）Alexa Fluor 488-conjugated goatanti-rabbit IgG(Thermo-Fisher社製; ３００倍
希釈)
２）Alexa Fluor 546-conjugated goatanti-mouse IgG(Thermo-Fisher社製; ３００倍希釈)
３）Alexa Fluor 488-conjugated donkeyanti-rabbit IgG(Thermo-Fisher社製; ３００
倍希釈) 
４）Alexa Fluor 546-conjugated donkeyanti-goat IgG(Thermo-Fisher社製; ３００倍
希釈)
【００４６】
標識した細胞を、４’，６−ジアミジノ−２−フェニルインドール（ＤＡＰＩ；１μｇ／ｍＬ）で１０分間室温にて洗浄及び対比染色した後、再度洗浄してVECTASHIELD（Vector-Laboratories社製）で退色防止処理を施したスライドグラスにマウントした。
【００４７】
２−５  顕微鏡観察及び一次繊毛長測定
高倍率画像は、６０倍の油浸対物レンズを装着したＦＶ１０００共焦点顕微鏡（オリンパス株式会社製）を用いて取得した。一次繊毛長は、ＢＺ−９０００蛍光顕微鏡（株式会社キーエンス製）で撮影した画像に基づいて、http://www.inocybe.info/よりダウンロードしたPhotoRulerVer. 1.1を用いて測定した。５０本の一次繊毛の平均長さを１測定あ
たりの一次繊毛長とした。各条件で、最低３回の独立の実験を行い、それぞれの平均値及びＳＥＭを計算した。
【００４８】
２−６  結果
２−６−１  一次繊毛の可視化
まず、一般的に一次繊毛の染色に用いられるウサギ抗ラットアデニル酸シクラーゼIII
で一次繊毛の可視化を試みたが、線状構造を可視化することができなかった。そこで、発明者らは、繊毛の染色に使用されるウサギ抗ヒトＡｒｌ１３Ｂを一次繊毛の可視化に用いることができないかと考え、２、４、６、８、１１、１８日間培養したiCell GlutaNeuronsの抗体染色を行った。
【００４９】
結果を図２に示す。図２Ａは、iCell GlutaNeuronsを、ウサギ抗ヒトＡｒｌ１３Ｂ（Ａｒｌ１３Ｂ）及び神経細胞の染色に用いられるマウス抗ラットＭＡＰ２（ＭＡＰ２）で染色し、ＢＺ−９０００蛍光顕微鏡で撮像した結果を示す図である。Ａｒｌ１３ｂでの染色結果より、線状構造体が培養につれて伸長することがわかる。
【００５０】
図２Ａで可視化された線状構造体が一次繊毛であることを確認するため、培養１１日目のiCellGlutaNeuronsを、Ａｒｌ１３ｂ、及び中心体の染色に用いられるマウス抗ヒトＦＧＦＲ１ＯＰ（ＦＧＦＲ１ＯＰ）を用いて二重染色した。結果を図２Ｂに示す。ここでの結果より、Ａｒｌ１３ｂにより染色された線状構造体が、中心体を起点として伸長していることがわかり、この構造体が一次繊毛であることが確認できた。図２Ｃに、培養日数毎の一次繊毛発生率を示す。一次繊毛発生率は、培養日数が増えるにつれ上昇した。
【００５１】
２−６−２  一次繊毛長の測定
上記２−６−１により、Ａｒｌ１３ｂにより染色された線状構造体が一次繊毛であることが確認できたため、かかる線状構造体の長さをPhotoRuler Ver.1.1を用いて測定した。結果を図３に示す。ここでの結果より、一次繊毛が、培養日数が増えるにつれ長くなることが示された。
【００５２】
２−６−３  ＬｉＣｌによる一次繊毛伸長効果
上記２−２で、ＬｉＣｌにより処理し、Ａｒｌ１３Ｂ及びＭＡＰ２で染色したiCell GlutaNeuronsを、ＢＺ−９０００蛍光顕微鏡で撮像し、一次繊毛長を測定した。結果を図４に示す。ここでの結果より、ＬｉＣｌが、iCell GlutaNeuronsの一次繊毛を伸長させる作用を有することが示された。
【００５３】
２−６−４  ＭＣＨによる一次繊毛短縮効果
上記２−３で、ＭＣＨにより処理し、Ａｒｌ１３Ｂ、及び一次繊毛に局在することが分かっているヤギ抗ヒトＭＣＨＲ１（ＭＣＨＲ１）で染色したiCell GlutaNeuronsを、ＢＺ−９０００蛍光顕微鏡で撮像し、一次繊毛長を測定した。結果を図５に示す。ここでの結果より、ＭＣＨが、iCell GlutaNeuronsの一次繊毛を短縮させる作用を有することが示された。
【００５４】
２−６−５  機能的一次繊毛の染色
上記２−６−４の染色結果より、Ａｒｌ１３Ｂでは染色されるが、ＭＣＨＲ１では染色されない一次繊毛が存在することがわかった（図示せず）。そこで、Ａｒｌ１３Ｂで染色された一次繊毛のうち、ＭＣＨＲ１陽性の一次繊毛の割合を算出した。結果を以下の表２に示す。
【００５５】
【表２】
2020180967.tif 000008
【００５６】
１６日間培養したiCell GlutaNeuronsでは、１１日間培養したiCell GlutaNeuronsと比較しＭＣＨＲ１陽性一次繊毛の割合が増加していた。ＭＣＨＲ１は、脳室上皮細胞が持つ繊毛膜に発現するＧタンパク質共役型受容体であり、視床下部外側野（摂食中枢）由来のＭＣＨと結合することで繊毛の動きと脳室の大きさを制御することが報告されている（Conductier, G. etal. Nat Neurosci., 16:845-847, 2013）。このことから、ＭＣＨＲ１は一次繊毛機能に必須であり、Ａｒｌ１３Ｂ及びＭＣＨＲ１で二重染色される一次繊毛は成熟した機能的一次繊毛であり、その割合は、培養につれて増加すると考えられた。
【実施例３】
【００５７】
３．ラット海馬由来の初代培養細胞（ＳＫＹ  ｎｅｕｒｏｎ）を用いた一次繊毛の解析
ラット海馬由来の初代培養細胞（ＳＫＹ  ｎｅｕｒｏｎ）を用い、抗体として抗アデニル酸シクラーゼ３抗体（ＡＣ３）及び抗ＭＣＨＲ１抗体（ＭＣＨＲ１）を用いて一次繊毛の解析を行った。
【００５８】
３−１  材料と方法
３−１−１  基質の調製−カバーガラスの洗浄とポリ−Ｌ−リジンコート
カバーガラス（松浪硝子工業株式会社製、丸型１２ｍｍ）１００枚を５０ｍｌチューブに入れ、これに１Ｍ  ＨＮＯ２を２５ｍｌ加え、１５分間の超音波洗浄を行った。ＭｉｌｌｉＱ水（ＭＱ）で３−４回洗浄後、ＭＱを２５ｍｌ入れ、再度超音波洗浄を行った。新たなＭＱでリンスしたカバーガラスを、ＭＱを満たした１０ｃｍのガラスシャーレに移し、オートクレーブ（１２０度・２０分）で滅菌処理を行った。ＭＱを除去し、エタノール（９９．５％）を入れ、１枚ずつ新たなシャーレの内壁に立てかけてクリーンベンチ内で乾燥させた。
【００５９】
洗浄したカバーガラスを培養用２４ｗｅｌｌプレートに１枚ずつ入れた。次に、基質への細胞接着性を高めるために、ポリ−Ｌ−リジン（ＰＬＬ）コーティングを行った。１ｍｇ／ｍｌ  ＰＬＬ／０．１Ｍホウ酸バッファー（ｐＨ８．５）（組成は以下の表３に記す）をウェルに３００μｌ入れ、室温で半日インキュベートした。その後、滅菌水で３回洗浄し、１ｍｌのＮｅｕｒａｌ−Ｐｌａｔｉｎｇ  ＭＥＭ（各培地の組成は以下の表３に記す）を入れ、３７℃、５％ＣＯ２で細胞播種時までインキュベートした。
【００６０】
３−１−２  細胞培養
本実験には、初代培養細胞（Ｅ１８ラット海馬由来ＳＫＹ  ｎｅｕｒｏｎ）を使用した。細胞培養操作はクリーンベンチ内で行った。液体窒素から凍結神経細胞（１ｍｌ）の入ったセラムチューブを取り出し、恒温槽（３７℃）にて３分間解凍した後、７０％エタノールでセラムチューブの外側を消毒した。神経細胞懸濁液１ｍｌを５０ｍｌチューブへゆっくりと移した。空になったセラムチューブに１ｍｌのＮｅｕｒａｌ−Ｐｌａｔｉｎｇ  ＭＥＭを入れ、１０００μｌのピペットで吸引後、神経細胞懸濁液を入れた５０ｍｌのチューブに１秒ごとに１滴ずつ落とすように移した。さらに、新たな８ｍｌのＮｅｕｒａｌ−Ｐｌａｔｉｎｇ  ＭＥＭを５０ｍｌチューブに１秒に１〜２滴ずつ落とすように加えた。５０ｍｌチューブ内の細胞懸濁液の濃度が均一になるようにゆっくりと揺らした後、ＰＬＬでコーティングしたスライドガラス入りの２４ｗｅｌｌプレートへ３〜１２×１０４ｃｅｌｌｓ／ｃｍ２になるように播種した。これを３７℃、５％ＣＯ２で１時間インキュベート後、培地をＮｅｕｒａｌ−Ｐｌａｔｉｎｇ  ＭＥＭから１ｍｌのＣｕｌｔｕｒｅ  ｍｅｄｉｕｍに交換し、再び培養した。
【００６１】
培養４日目にグリア細胞除去のため、Ｃｕｌｔｕｒｅ  ｍｅｄｉｕｍで希釈した１．５  μＭシトシンアラビノシド（ＡｒａＣ）を添加した。培地交換は１週間ごとに行い、培養期間中の蒸発を考慮し、約１／３量の新たなＣｕｌｔｕｒｅ−ｍｅｄｉｕｍに置き換えた（例：２５０μｌ除去し３００μｌの新たな培地を添加）。
【００６２】
【表３】
2020180967.tif 000009
【００６３】
３−１−３  蛍光免疫化学染色
リン酸緩衝食塩水：ＰＢＳ（−）は室温に戻したものを使用した。固定液は、以下のオリジナルレシピにそって使用時に調製した。
4% PFA in PBS (-) : H104-750ML HistoChoiceTissue Fixative, 20X, Component A (VWR)：H105-250MLHistoChoice Tissue Fixative, 20X, Component B (VWR)：2-propanol: MQ = 50 : 4 : 1 : 10 : 35
【００６４】
培地を除去後、固定液を用いて室温・１０分でＳＫＹ  ｎｅｕｒｏｎを固定した。固定液を除去後ＰＢＳ（−）で洗浄した（１０分×１回）。次に、ブロッキング溶液 [5% Donkey serum、0.1% Triton-100 in PBS (-)] を添加して、室温で４５分間反応させた。ＰＢＳ（−）により洗浄後（１０分×２回）、ブロッキング溶液で希釈した１次抗体溶液 (AC3; RPCA-ACIII, EnCor 1:500、MCHR1; C-17,sc-5534, Santa Cruz 1:300) を用いて４℃で半日反応させた。ＰＢＳ（−）により洗浄後（５分×３回）、ブロッキング溶液で希釈した蛍光標識２次抗体溶液 (A21206とA11056, Thermo Fisher 1:400) を用いて、室温・１時間で反応させた。ＰＢＳ（−）により洗浄後（５分×３回）、核を検出するために１ｍｇ／ｍｌ  ＤＡＰＩをＰＢＳ（−）により１０００倍希釈し、１０分間染色した。ＰＢＳ（−）により洗浄後（５分×３回）、蛍光退色抑制封入剤（ベクターシールド）を一滴たらしたスライドガラス上に、カバーガラスを細胞が張り付いている面を下にしてのせ、周囲をクリアマニキュアにより補強した。
【００６５】
蛍光イメージは、ＨＳオールインワン顕微鏡ＢＺ−９０００、ＦＬＵＯＶＩＥＷ  ＦＶ１０００共焦点レーザー走査型顕微鏡またはＦＬＵＯＶＩＥＷ  ＦＶ３０００共焦点レーザー走査型顕微鏡を使用して取得した。繊毛長の測定にはディスプレイ上の対象物の長さを計測可能なＰｈｏｔｏＲｕｌｅｒ（http://hyougo.inocybe.info）を用いた。
【００６６】
３−１−４  ＭＣＨ添加による一次繊毛の評価
培養したＳＫＹ  ｎｅｕｒｏｎに対し、０．１％ＢＳＡを含むＣｕｌｔｕｒｅ−ｍｅｄｉｕｍにより希釈したＭＣＨ（ペプチド研）を添加した。上記の蛍光免疫化学染色法を用いて、一次繊毛がＭＣＨの添加時間および濃度依存的に縮退するかを解析した。１６日間培養（Days in vitro）ＳＫＹ  ｎｅｕｒｏｎ（１６ＤＩＶ）に対し、１０ｎＭのＭＣＨを添加し、処理時間を０−６ｈｒの間でふることで、ＭＣＨＲ１陽性一次繊毛に対する作用を評価した。ＭＣＨ濃度依存性については、１８ＤＩＶのＳＫＹ  ｎｅｕｒｏｎに対し、０−１０ｎＭの間でＭＣＨ濃度をふり、２ｈｒ後及び４ｈｒ後に、蛍光免疫化学染色を行い、一次繊毛長を測定した。
【００６７】
蛍光イメージは、ＦＬＵＯＶＩＥＷ  ＦＶ１０００共焦点レーザー走査型顕微鏡またはＦＬＵＯＶＩＥＷ  ＦＶ３０００共焦点レーザー走査型顕微鏡を使用して取得した。繊毛長の測定には、ＰｈｏｔｏＲｕｌｅｒソフトウエア (http://hyougo.inocybe.info) を用いた。
【００６８】
３−２  結果
３−２−１  一次繊毛の長さ及び発生率
ＭＣＨＲ１陽性一次繊毛長を測定した結果を図６Ａに示す。培養日数を重ねるごとに繊毛長が伸長していくことがわかった。次に、ＭＣＨＲ１陽性一次繊毛の発生率を解析した。全細胞（ＤＡＰＩ−核のマーカーの陽性細胞）中、ＭＣＨＲ１陽性一次繊毛を持つ細胞の存在比率を測定した結果を図６Ｂに、神経細胞（ＭＡＰ２−神経細胞のマーカーの陽性細胞)中でＭＣＨＲ１陽性一次繊毛を持つ細胞の存在比率を測定した結果を図６Ｃに示す。ここでの結果より、５ＤＩＶ以降、繊毛を保持する細胞が急増することがわかった。なお、ＭＡＰ２陰性細胞（非神経細胞）にはＭＣＨＲ１陽性一次繊毛は検出できなかった。
【００６９】
３−２−２  ＳＫＹ  ｎｅｕｒｏｎ  ＭＣＨＲ１陽性一次繊毛長に対するＭＣＨ添加の影響評価
１６ＤＩＶのＳＫＹ  ｎｅｕｒｏｎに対し、１０ｎＭのＭＣＨを添加し、時間を追って免疫化学染色を行った。結果を図７に示す。添加時間に伴い（０，２，４，６時間）、ＡＣ３／ＭＣＨＲ１陽性一次繊毛長が縮退していくことがわかった。なお、ＡＣ３は従来一次繊毛の可視化に用いられていた抗体であるが、ＡＣ３では一次繊毛の根元が強く染まるものが多かったのに対し、ＭＣＨＲ１での一次繊毛の全体像がとらえることができた（図７は、ＡＣ３でも全長が染色されているものを選別している）。これは、ＭＣＨＲ１はどの繊毛でもその全長に渡って局在しているためであると考えられる。また、ＳＫＹ  ｎｅｕｒｏｎ（１６−１８日培養）において、全てのＭＣＨＲ１陽性繊毛にはＡＣ３が発現し（１００％近い）、逆に、ＡＣ３陽性繊毛の９６％にはＭＣＨＲ１が発現する。さらに、上述のとおり、ＭＣＨＲ１は繊毛特異的に発現するレセプターであり、その機能に必須であると考えられることから、ＭＣＨＲ１は非常に優秀な神経細胞繊毛のマーカーとなることが示唆された。
【００７０】
３−２−３  ＳＫＹ  ｎｅｕｒｏｎ  ＭＣＨＲ１陽性一次繊毛長のＭＣＨ応答性評価
ＳＫＹ  ｎｅｕｒｏｎ  ＭＣＨＲ１陽性一次繊毛長のＭＣＨ応答性を評価した結果を図８に示す。時間依存性の評価は、１８ＤＩＶのＳＫＹ  ｎｅｕｒｏｎに対して１０ｎＭのＭＣＨを添加して、経時的に一次繊毛長を測定することで行った（図８Ａ）。その結果、ＭＣＨ添加後２時間から有意な縮退が起こり、４−６時間で頭打ちとなることがわかった。濃度依存性の評価は、１８ＤＩＶのＳＫＹ  ｎｅｕｒｏｎに対して０−１０ｎＭの間でＭＣＨ濃度をふり、２ｈｒ後及び４ｈｒ後に一次繊毛長を測定することで行った（図８Ｂ）。結果より、ＭＣＨを２時間添加した場合、３ｎＭから縮退について有意な差が検出できることがわかった。また、添加４時間ではより縮退するが、３ｎＭから効果が見られる点は同じであった。
【産業上の利用可能性】
【００７１】
本発明によれば、簡便な方法により、培養神経細胞の成熟度の判定や、神経細胞の成熟に影響を与える物質のスクリーニングを行うことができる。従来は、安定した成熟培養神経細胞の供給が困難であったことにより、培養神経細胞を用いた薬剤のスクリーニングが困難であったが、本発明によれば、培養神経細胞の成熟度という新たな指標により薬剤のスクリーニングを行うことができるため、医療分野における産業上の有用性は高い。
【図１】
2020180967.tif 000010
【図２】
2020180967.tif 000011
【図３】
2020180967.tif 000012
【図４】
2020180967.tif 000013
【図５】
2020180967.tif 000014
【図６】
2020180967.tif 000015
【図７】
2020180967.tif 000016
【図８】
2020180967.tif 000017